(57)【要約】【課題】簡単な構造改革でもって、３段表記のカレンダーを有効に作成できながら、角２号封筒に折り畳んで収容でき、低コストでの輸送が可能となること。【解決手段】１枚のカレンダーに、下段から順次早い月順に、中段、上段に分けて月別カレンダーを同じ書体で印刷してあるところのカレンダー。下段、中段、上段の境にミシン目を入れ、切り離し可能とする。上部には、綴じ代を設け、下段には、広告欄を設ける。上記ミシン目により、三つ折り可能に構成し、封筒に収納可能としている。【選択図】図１
2019084812.tif 000002
【特許請求の範囲】
【請求項１】
１枚のカレンダーに、下段から順次早い月順に、中段、上段に分けて月別カレンダーを同じ書体で印刷してあるところのカレンダーを、上段に設けた綴じ代によって表紙を含めて少なくとも５枚を製本してなるカレンダーであって、
上段月のカレンダー表記部との間に２５ｍｍの綴じ代を設けてミシン目を幅方向に入れ、上段月のカレンダー表記部を上下方向に１６５ｍｍとして、ミシン目を幅方向に入れ、中段月との境目とし、カレンダー表記部の左欄に月表示部が設けられ、
中段月のカレンダー表記部を、上下方向に１９０ｍｍとして、下方にミシン目を幅方向に入れ、カレンダー表記部の左欄に月表示部が設けられ、
下段月のカレンダー表記部を、カレンダー表記の１６５ｍｍと下方の広告欄を含めた２３０ｍｍとし、カレンダー表記部の左欄に月表示部が設けられ、
表紙頁にも、前記３本のミシン目に対応する同じ位置に、ミシン目を入れ、必要に応じて切り取り除去できるように構成し、
前記４枚のカレンダーを、前記ミシン目によって、三重に折り畳んで角２号封筒に収容できるように構成してある、ことを特徴とする折り畳み可能なカレンダー。
【請求項２】
１枚のカレンダーに、下段から順次早い月順に、中段、上段に分けて月別カレンダーを同じ書体で印刷してあるところのカレンダーを、上段に設けた綴じ代によって表紙を含めて少なくとも５枚を製本してなるカレンダーであって、
上段月のカレンダー表記との間に２５ｍｍの綴じ代を設けてミシン目を幅方向に入れ、上段月のカレンダー表記部を上下方向に１６５ｍｍとして、ミシン目を幅方向に入れ、中段月との境目とし、カレンダー表記部の上部に月表示部が設けられ、
中段月のカレンダー表記部を、上下方向に１９０ｍｍとして、下方にミシン目を幅方向に入れ、カレンダー表記部の上部に月表示部が設けられ、
下段月のカレンダー表記部を、カレンダー表記部の１６５ｍｍと下方の広告欄を含めた２３０ｍｍとし、カレンダー表記部の上部に月表示部が設けられ、
表紙頁にも、前記３本のミシン目に対応する同じ位置に、ミシン目を入れ、必要に応じて切り取り除去できるように構成し、
前記４枚のカレンダーを、前記ミシン目によって、三重に折り畳んで角２号封筒に収容できるように構成してある、ことを特徴とする折り畳み可能なカレンダー。
【請求項３】
上記月別カレンダーとして、翌年月の１月から３月を表示したものを追加して、同様の寸法とミシン目を施し、最後尾に付設して綴じ、合計６枚からなるカレンダーを構成してなる、ことを特徴とする請求項１又は請求項２に記載の折り畳み可能なカレンダー。
【発明の詳細な説明】
【発明の詳細な説明】
【技術分野】
【０００１】  本発明は、３ヶ月毎の月別表記部が成されたカレンダーの改良に関するものである。
【背景技術】
【０００２】  従来において、１枚に１２ヶ月分を印刷して、これ１枚を壁等に貼り付ける方法もあったが、これだと、製造コストを低く抑えることができるものの、所定の大きさの用紙に印刷すると、余程大きな用紙でない限り（貼る場所も限定される）、１ヶ月分当たりの表記が小さくなって、見づらいという問題があり、日付の欄の空白にメモを記入したりすることを考慮すると、全体としても無理がある。【０００３】  また、１ケ月につき、１枚として、１２枚の用紙を準備することも可能であるが、この方法だと、非常に嵩張ることになるし、製造コストもかかり、重量が増すところから、顧客への輸送コストもかかることになる。
そこで、大きさ、見やすさ、使い勝手のよいところから、３ヶ月毎の３段の月別表記が成されたカレンダーを４枚（表裏紙を付けると６枚）綴じとし、月変わりに１枚ずつ剥がして使用するようにすることが提案された。【０００４】  こうしたカレンダーは、製造者からユーザーに対して、有償、無償に関わらず、通常、郵送によって送付されるのが一般的である。この際、最も簡便な方法として、図４に示すように、カレンダー用紙１をロール状に巻いて、包装７し、郵便物として送付することになるが、最近に至って郵便事情が変わり、種別の変更と料金の値上がりがあった。【０００５】  即ち、カレンダー用紙１を図４に示すロール状に巻いて包装７したカレンダーの送付は、定形郵便物に該当せず、別料金となり、料金が高くなって、金額の低いカレンダーを送付すると、郵送料の方が高くつくといった不都合が起きる。尤も、汎用されている郵便物（例えば、角２号封筒：Ａ−４を折らずに輸送可能）となれば、不定形郵便となるが、料金も低く抑えることができるので、ユーザーの要望として、最低料金での郵送が可能なカレンダーを要望する声が上がっている。【０００６】  上述したカレンダーの構造としては、一般的な構造のものとしては、次に挙げる技術が知られている。
【先行技術文献】
【特許文献１】実願２０１６−９３２
【特許文献２】実用新案登録第３０１７４３９号
【発明の概要】
【発明が解決しようとする課題】
【０００７】  上述したように、従来技術の問題点に鑑み、見やすくて嵩も低く、低コスト輸送が可能な方法が模索されてきた。本発明者は、輸送面、使い勝手を考えると、３段表記のカレンダーが最も好ましい形態であると考え、この方式でのカレンダーの改良に取り組むことにした。【０００８】  そこで、普通郵便での輸送が可能な不定形郵便物（例えば、角２号封筒）での郵送を可能にするにどうすれば良いかを考えたときに、ロール巻きではなく、折り畳みできる方法はないかと考え、カレンダーにミシン目を入れることで、このミシン目を境として折り畳み、不要になった月分だけ切り離す方法を考えた。
しかし、ミシン目は、単純に３段均等に入れればよいというわけではない。不定形の角２号封筒は、寸法が２４０ｍｍＸ３３２ｍｍであるところ、３段表記で、上段に綴じ代を設け、下段に広告蘭（社名など）を設けると、長さが６１０ｍｍとなり、単純３等分すれば、６１０ｍｍ／３となり、１段当たり、２０３．３ｍｍということになって、寸法的には角２号の幅に収まることになるが、これだとミシン目は、カレンダーを横切るように入ることになり、カレンダーとして有効利用できなくなる。従って、単純なミシン目の当分配置では、有効なカレンダーにはならないのであり、単純な寸法、設計上の問題として見ることはできない。【０００９】  本発明は、簡単な構造改革でもって、３段表記のカレンダーを有効に作成できながら、角２号封筒に折り畳んで収容でき、低コストでの輸送が可能となることを目的とする。
【課題を解決するための手段】
【００１０】  本発明は、上記問題点に鑑み、１枚のカレンダーに、下段から順次早い月順に、中段、上段に分けて月別カレンダーを同じ書体で印刷してあるところのカレンダーを、上段に設けた綴じ代によって表紙を含めて少なくとも５枚を製本してなるカレンダーであって、
上段月のカレンダー表記部との間に２５ｍｍの綴じ代を設けてミシン目を幅方向に入れ、上段月のカレンダー表記部を上下方向に１６５ｍｍとして、ミシン目を幅方向に入れ、中段月との境目とし、カレンダー表記部の左欄に月表示部が設けられ、
中段月のカレンダー表記部を、上下方向に１９０ｍｍとして、下方にミシン目を幅方向に入れ、カレンダー表記部の左欄に月表示部が設けられ、
下段月のカレンダー表記部を、カレンダー表記の１６５ｍｍと下方の広告欄を含めた２３０ｍｍとし、カレンダー表記部の左欄に月表示部が設けられ、
表紙頁にも、前記３本のミシン目に対応する同じ位置に、ミシン目を入れ、必要に応じて切り取り除去できるように構成し、
前記４枚のカレンダーを、前記ミシン目によって、三重に折り畳んで角２号封筒に収容できるように構成してある、ことを特徴とする折り畳み可能なカレンダーとした。【００１１】  さらに、本発明は、上記問題点に鑑み、折り畳み可能なカレンダーとして、次の手段を講じた。
即ち、１枚のカレンダーに、下段から順次早い月順に、中段、上段に分けて月別カレンダーを同じ書体で印刷してあるところのカレンダーを、上段に設けた綴じ代によって表紙を含めて少なくとも５枚を製本してなるカレンダーであって、
上段月のカレンダー表記との間に２５ｍｍの綴じ代を設けてミシン目を幅方向に入れ、上段月のカレンダー表記部を上下方向に１６５ｍｍとして、ミシン目を幅方向に入れ、中段月との境目とし、カレンダー表記部の上部に月表示部が設けられ、
中段月のカレンダー表記部を、上下方向に１９０ｍｍとして、下方にミシン目を幅方向に入れ、カレンダー表記部の上部に月表示部が設けられ、
下段月のカレンダー表記部を、カレンダー表記部の１６５ｍｍと下方の広告欄を含めた２３０ｍｍとし、カレンダー表記部の上部に月表示部が設けられ、
表紙頁にも、前記３本のミシン目に対応する同じ位置に、ミシン目を入れ、必要に応じて切り取り除去できるように構成し、
前記４枚のカレンダーを、前記ミシン目によって、三重に折り畳んで角２号封筒に収容できるように構成してある、という手段である。【００１２】  本発明では、カレンダー本体が、３ヶ月分の４枚構成で、表紙を付けると全５葉であるが、翌年度分の１月から３月度のカレンダーを最後尾に付設することで、付加的なサービスを行うようにし、全６葉として制作してもよい。
また、角２号封筒へ収容できるミシン目構成としては、次の形態を採ることもできる。この形態では、カレンダー表記の左欄に月表示が記される。
即ち、上段の綴じ代２５ｍｍとミシン目、上段のカレンダー表記部の１６５ｍｍと下方のミシン目、中段のカレンダー表記部１９０ｍｍとミシン目、下段のカレンダー表記部１６５ｍｍと下方の広告欄を含めた２３０ｍｍという構成である。
本発明にいう同じ書体の表記とは、文字、数字の形態、大きさが同じであり、見た目において違和感を持たせないものを言う。
【発明の効果】
【００１３】  本発明によれば、簡単な構造改革でもって、実用的な大きさの文字により見やすいカレンダーでありながら、三つに折り畳んで角２号（Ａ−４サイズ）の大きさの封筒に収容できて、簡便な郵便物として安価に郵送が可能で、月替わりに際して順次剥離して新たな月別カレンダーを見ることができる有用な折り畳みカレンダーを提供できる利点がある。そして、ミシン目を３本使用しことで、三つ折りが可能であると同時に、三つ折から容易に伸直可能であり、且つ、切り取り除去が容易である。【００１４】  本発明は、月別カレンダー自体の文字等を変更するのではなく、月毎のカレンダー間のスペースを微妙に調整することで、全体としての月別のカレンダー自体に違和感を生じさせることなく、三ヶ月毎のカレンダーを完成させたものであり、単なる設計上の問題点を超えた発明性を備えるものでありながら、郵送を考慮したコスト意識の高い発明を完成させたものである。
本発明にかかるその他の利点は、以下の実施例の説明から明らかになろう。
【図面の簡単な説明】
【００１５】
【図１】本発明の第１実施例にかかるカレンダーの概略正面図。
【図２】本発明のカレンダーの折り畳んだ状態の包装状態を示す概略正面図。
【図３】本発明の第２実施例にかかるカレンダーの概略正面図。
【図４】本発明の従来技術を示すロール巻き包装を示す斜視図。
【発明を実施するための形態】
【実施例】
【００１６】（第１実施例）
本発明にかかる折り畳みカレンダーの好適実施例を図１及び図２に基づいて説明する。
図１に示すのは、１月から３月までの三ヶ月を下から順に配置した１枚のカレンダー用紙１を示す。即ち、１枚のカレンダーに、下段から順次早い月順に、中段、上段に分けて月別カレンダーを同じ書体で印刷してカレンダー表記部４を構成してある。これは、カレンダーを、上段に設けた綴じ代２によって表紙を含めて少なくとも５枚を製本してなるカレンダーとなる。便宜上、４月から６月、７月から９月、１０月から１２月については実質同じ形態であるので、図示、省略している。【００１７】  そして、ここでは、上段月（ここでは３月）のカレンダー表記部４との間に２５ｍｍの綴じ代２を設けてミシン目３を幅方向に入れ、上段月のカレンダー表記部４を上下方向に１８０ｍｍとして、ミシン目３を幅方向に入れ、中段月との境目とし、カレンダー表記部４の左側欄に月表示部５が設けられている。  ここに言うミシン目３とは、破線で示すように、切れ目を破線状に入れたもので、ここにおいて容易に切り取りができる構成となっているものである。【００１８】  中段月のカレンダー表記部４を、上下方向に１６７ｍｍとして、下方にミシン目３を幅方向に入れ、カレンダー表記部４の上部に月表示部５が設けられ、下段月のカレンダー表記部４を、カレンダー表記の１６７ｍｍと下方の広告欄を含めた２３８ｍｍとし、カレンダー表記部４の左側欄に月表示部５が設けられ、表紙頁にも、前記３本のミシン目３に対応する同じ位置に、ミシン目３を入れ、必要に応じて切り取り除去できるように構成している。
前記４枚のカレンダーを、前記ミシン目３によって、三重に折り畳んで角２号封筒に収容できるように構成してある。
上記下段月のカレンダー表記部４の下方には、広告欄６が設けられているので、ここに、顧客の会社名などを印刷することができる。【００１９】  上記カレンダーは、前記ミシン目３において、折り畳むことができて、三つ折り状態となすことができる。これによって、図２に示すように、角２号の封筒８（通常の会社で使用する社内封筒等）への封入が可能となる。
この際、上記広告欄６は、そのまま、伸ばした状態で封筒８に収容できるので、開封と同時に、何れの会社のカレンダーであるのかが一目瞭然になる。【００２０】（第２実施例）
ここでは、図３に示すように、スカレンダー表記部４に対して、月表示部５が左側欄ではなく、上段に変位した形態のものを示す。
即ち、  １枚のカレンダーに、下段から順次早い月順に、中段、上段に分けて月別カレンダーを同じ書体で印刷してある点は同じである。  そして、上段に設けた綴じ代２によって表紙を含めて少なくとも５枚を製本してなるカレンダーである。【００２１】  そして、上段段月のカレンダー表記部４との間に２５ｍｍの綴じ代２を設けてミシン目３を幅方向に入れ、上段月のカレンダー表記部４を上下方向に１６５ｍｍとして、ミシン目３を幅方向に入れ、中段月との境目とし、カレンダー表記部４の上段に月表示部５が設けられている。
中段月のカレンダー表記部４を、上下方向に１９０ｍｍとして、下方にミシン目３を幅方向に入れ、カレンダー表記部４の上段に月表示部５が設けられ、下段月のカレンダー表記部４を、カレンダー表記部４の１６５ｍｍと下方の広告欄６を含めた２３０ｍｍとし、カレンダー表記部４の上段に月表示部５が設けられている。【００２２】  表紙頁にも、前記３本のミシン目３に対応する同じ位置に、ミシン目３を入れ、必要に応じて切り取り除去できるように構成してある。
こうして、前記４枚のカレンダーを、前記ミシン目３によって、三重に折り畳んで角２号封筒に収容できるように構成してある。【００２３】  上記第１実施例、第２実施例で、具体的寸法について明示しているが、実際の寸法は、この寸法の前後２ｍｍ程度は、変更許容範囲であると考えている。
【産業上の利用可能性】
【００２４】  本発明は、カレンダーを合理的な配置構成とすることにより、輸送コストを考え、使い勝手を考えたカレンダーとして有効利用できるので、既存の大型のカレンダーに代わるコンパクトなカレンダーとして、広く応用可能となる。
【符号の説明】
【００２５】１：カレンダー
２：綴り代
３：ミシン目
４：カレンダー表記部
５：月表示部
６：広告欄
【図１】
2019084812.tif 000003
【図２】
2019084812.tif 000004
【図３】
2019084812.tif 000005
【図４】
2019084812.tif 000006